(57)【要約】【課題】皮膚ガス成分、特に活性酸素種の測定を高精度で行うことができる皮膚ガス測定装置及び皮膚ガス測定方法を提供する。【解決手段】皮膚ガス測定装置１は、雰囲気ガスと混合された皮膚ガスに、測定対象の皮膚ガス成分を励起するレーザ光を照射するレーザ照射手段１０、測定対象者の皮膚を接触させ、皮膚ガスを放出させる測定室２０、測定室２０内に雰囲気ガスを導入するガス供給手段３０、雰囲気ガスの温度を制御するガス温度制御手段４０、皮膚ガスへのレーザ光照射により生じる蛍光を検出し、皮膚ガス成分の分子の個数を計測する蛍光測定手段５０を備え、レーザ誘起蛍光法を用いて皮膚ガスの測定対象の成分を測定する。【選択図】図１
2019109105.tif 000002
【特許請求の範囲】
【請求項１】
レーザ誘起蛍光法により生体表面から発生する皮膚ガスの成分を測定する皮膚ガス測定装置であって、測定対象者の皮膚を接触させ、皮膚ガスを放出させる測定室と、前記測定室内に雰囲気ガスを導入するガス供給手段と、前記測定室内のガスの温度を制御するガス温度制御手段と、前記測定室に放出され雰囲気ガスと混合された皮膚ガスに、測定対象の皮膚ガス成分を励起するレーザ光を照射するレーザ照射手段と、皮膚ガスへのレーザ光照射により生じる蛍光を検出し、皮膚ガス成分の分子の個数を計測する蛍光測定手段と、を備え、 前記測定室は、開口部を有し、前記開口部に測定対象者の皮膚が密着して閉塞されることにより内部が閉空間となるように構成されていることを特徴とする皮膚ガス測定装置。
【請求項２】
前記雰囲気ガスは純空気であることを特徴とする請求項１に記載の皮膚ガス測定装置。
【請求項３】
前記皮膚ガス成分は活性酸素種であることを特徴とする請求項１または請求項２に記載の皮膚ガス測定装置。
【請求項４】
前記活性酸素種はヒドロキシラジカルであることを特徴とする請求項３に記載の皮膚ガス測定装置。
【請求項５】
レーザ誘起蛍光法により皮膚表面から発生する皮膚ガスの成分を測定する皮膚ガス測定方法であって、開口部を有し、前記開口部に測定対象者の皮膚が密着して閉塞されることにより内部が閉空間となるように構成されている測定室に雰囲気ガスを導入する工程と、前記測定室内のガスの温度を制御する工程と、前記開口部に測定対象者の皮膚を接触させ、皮膚ガスを放出させる工程と、前記測定室に放出され雰囲気ガスと混合された皮膚ガスに、測定対象の皮膚ガス成分を励起するレーザ光を照射する工程と、皮膚ガスへのレーザ光照射により生じる蛍光を検出し、皮膚ガス成分の分子の個数を計測する工程と、を備えたことを特徴とする皮膚ガス測定方法。
【発明の詳細な説明】
【技術分野】
【０００１】
本発明は、レーザ誘起蛍光法により生体表面から発生する皮膚ガスの成分を測定する皮膚ガス測定装置及び皮膚ガス測定方法に関する。
【背景技術】
【０００２】
生体表面から発生する皮膚ガスには、種々の代謝過程で生じるガス成分が含まれており、近年、生体内代謝情報を反映するマーカーとしてガス成分を分析することが試みられている。
【０００３】
従来、ガス採取手段により皮膚表面から皮膚ガスを吸引して採取し、その後ガス分析装置に導入して測定する装置（例えば、特許文献１）や容器に皮膚ガスを貯留させ、容器に貯留された皮膚ガスを測定装置に導出する装置（例えば、特許文献２）などが提案されてきた。
【０００４】
特に、ヒドロキシラジカル（ＯＨラジカル）などの活性酸素種は、酸化ストレスの指標として注目されている。活性酸素種のような皮膚ガス中の測定対象となるガス成分は、極めて低濃度であり、上述のような方法では、高精度の測定を行うことはできない。実際に平地における環境大気のＯＨラジカルの濃度はｐｐｔレベルであり，日内変動を伴うことが知られている（非特許文献１、２）。ヒト皮膚から放出されるＯＨラジカルの濃度もそれとほぼ同レベルと考えられる（非特許文献３）。従って、通常の大気環境下では皮膚から放出されるＯＨラジカルの高精度な計測は難しい。更に、活性酸素種以外の皮膚ガスの高感度分析についても変動する環境中微量物質の影響を受けやすい。
【０００５】
高精度な分析技術として、レーザ誘起蛍光法を用いて皮膚ガスの測定対象の成分を測定する方法も提案されている（特許文献３）。レーザ誘起蛍光法は、測定対象である原子または分子状の化学種に対し、その励起準位に応じたレーザ光を照射することにより励起し、それにより生じる蛍光を測定することにより当該化学種の量を測定する方法であり、高感度かつ選択性の高い分析技術である。
【先行技術文献】
【特許文献】
【０００６】
【特許文献１】特開２００５−２１４８５５号公報
【特許文献２】特開２００２−１９５９１９号公報
【特許文献３】特開２０１３−２０５０６１号公報
【非特許文献】
【０００７】
【非特許文献１】C. C. Wang and L. I. Davis, “Measurement of hydroxyl concentrations in air using a tunable uv laser beam,” Phys. Rev. Lett., vol. 32, no. 7, pp. 349-352, Feb. 1974.
【非特許文献２】D. E. Heard and M. J. Pilling, “Measurement of OH and HO2 in the troposphere,” Chem. Rev., vol. 103, no. 12, pp. 5163-5198, Nov. 2003
【非特許文献３】Che DC, Shimouchi A, Mizukami T, Nose K, Seiyama A, Kasai T. Emanation of hydroxyl radicals from human skin. IEEE Sensors J 13(4):1223-1227, 2013．
【発明の概要】
【発明が解決しようとする課題】
【０００８】
しかし、上述の技術では、測定雰囲気及び測定温度による測定値の変動が大きく、安定した高精度の皮膚ガス成分（活性酸素種）の測定が困難であった。
【０００９】
そこで、本発明では、皮膚ガス成分、特に活性酸素種の測定を高精度で行うことができる皮膚ガス測定装置及び皮膚ガス測定方法を提供することを目的とする。
【課題を解決するための手段】
【００１０】
上記目的を達成するため、請求項１に記載の発明では、レーザ誘起蛍光法により生体表面から発生する皮膚ガスの成分を測定する皮膚ガス測定装置であって、測定対象者の皮膚を接触させ、皮膚ガスを放出させる測定室と、前記測定室内に雰囲気ガスを導入するガス供給手段と、前記測定室内のガスの温度を制御するガス温度制御手段と、前記測定室に放出され雰囲気ガスと混合された皮膚ガスに、測定対象の皮膚ガス成分を励起するレーザ光を照射するレーザ照射手段と、皮膚ガスへのレーザ光照射により生じる蛍光を検出し、皮膚ガス成分の分子の個数を計測する蛍光測定手段と、を備え、前記測定室は、開口部を有し、前記開口部に測定対象者の皮膚が密着して閉塞されることにより内部が閉空間となるように構成されている、という技術的手段を用いる。
【００１１】
請求項２に記載の発明では、請求項１に記載の皮膚ガス測定装置において、前記雰囲気ガスは純空気である、という技術的手段を用いる。
【００１２】
請求項３に記載の発明では、請求項１または請求項２に記載の皮膚ガス測定装置において、前記皮膚ガス成分は活性酸素種である、という技術的手段を用いる。ここで、本発明における「活性酸素種」とは、酸素の誘導体の総称であり、特に、ヒドロキシラジカル（ＯＨラジカル）、スーパーオキサイド、過酸化水素、など、生体内で生成されるものをいう。
【００１３】
請求項４に記載の発明では、請求項３に記載の皮膚ガス測定装置において、前記活性酸素種はヒドロキシラジカルである、という技術的手段を用いる。
【００１４】
請求項５に記載の発明では、レーザ誘起蛍光法により皮膚表面から発生する皮膚ガスの成分を測定する皮膚ガス測定方法であって、開口部を有し、前記開口部に測定対象者の皮膚が密着して閉塞されることにより内部が閉空間となるように構成されている測定室に雰囲気ガスを導入する工程と、前記測定室内のガスの温度を制御する工程と、前記開口部に測定対象者の皮膚を接触させ、皮膚ガスを放出させる工程と、前記測定室に放出され雰囲気ガスと混合された皮膚ガスに、測定対象の皮膚ガス成分を励起するレーザ光を照射する工程と、皮膚ガスへのレーザ光照射により生じる蛍光を検出し、皮膚ガス成分の分子の個数を計測する工程と、を備えた、という技術的手段を用いる。
【発明の効果】
【００１５】
本発明の皮膚ガス測定装置及び皮膚ガス測定方法によれば、測定雰囲気及び測定温度が測定精度に大きな影響を及ぼす因子を見出し、雰囲気ガスへの置換を行うとともに、雰囲気ガスの温度制御を行うことにより測定環境を厳密に制御してその影響を排除する構成を採用したので、皮膚ガスの測定を非侵襲で高精度で行うことができる。特に、酸化ストレスマーカーとして重要であるが測定が困難であったヒドロキシラジカルに代表される活性酸素種の測定に好適に用いることができる。
【図面の簡単な説明】
【００１６】
【図１】皮膚ガス測定装置の構成を模式的に説明図である。
【図２】測定室及び周辺装置の構成を示す説明図である。図２（Ａ）は側面図であり、図２（Ｂ）は図２（Ａ）をＡ方向から見た側面図である。
【図３】手のひらから生じる皮膚ガスの測定状況を示す説明図である。
【図４】ヒドロキシラジカルのフォトンカウント数の温度依存性を示す説明図である。
【図５】バックグラウンド測定値及び皮膚ガス測定値の再現性試験結果を示す説明図である。
【発明を実施するための形態】
【００１７】
（皮膚ガス測定装置）
本発明の皮膚ガス測定装置について、図を参照して説明する。ここでは、ヒドロキシラジカルの測定が可能な装置構成を例に説明する。
【００１８】
本発明の皮膚ガス測定装置は、レーザ誘起蛍光法（Laser Induced Fluorescence：以下、LIF法）を用いて皮膚ガスの測定対象の成分を測定する。
【００１９】
ＬＩＦ法は、測定対象である原子または分子状の化学種に対し、その励起準位に応じたレーザ光を照射することにより励起し、それにより生じる蛍光を測定することにより当該化学種の量を測定する方法である。
【００２０】
図１に示すように、皮膚ガス測定装置１は、レーザ照射手段１０、測定室２０、ガス供給手段３０、ガス温度制御手段４０、蛍光測定手段５０を備えている。
【００２１】
レーザ照射手段１０は、測定室２０内に導入される皮膚ガスに、測定対象である皮膚ガスの成分を励起するレーザ光を発生、照射するためのものであり、例えば、レーザ発振器１１、倍波素子１２（本実施形態では、ベータホウ酸バリウム結晶：ＢＢＯ）及びバンドパスフィルタ１３を備えた通常のＬＩＦ法で用いる構成を採用することができる。
【００２２】
ここで、レーザ光の波長は測定対象の種類によって選択し、レーザ発振器１１として、パルスレーザや連続発振レーザのレーザ発振器を用いることができる。また、波長可変レーザ光源を採用することもできる。
【００２３】
本実施形態では、レーザ発振器１１は、半導体レーザ発振器であり、波長５６１ｎｍの連続光を発振する。レーザ発振器１１で発振したレーザ光は、倍波素子１２により波長２８０．５ｎｍの２倍波が生成され、バンドパスフィルタ１３を介してヒドロキシラジカルを励起する波長２８０．５ｎｍの励起光が選択的に測定室２０内に導入される。
【００２４】
レーザ光の強度が高過ぎると散乱光による迷光や多光子過程により不要な分子が生成しノイズを発生し、低過ぎると十分な信号強度が得られない。そこで、光量調整フィルタなどを用いて、レーザ光を好ましい強度に調整する。
【００２５】
測定室２０は、内部に皮膚ガスを導入し、レーザ光を照射して、蛍光を測定するために構成されたチャンバである。
【００２６】
図２に示すように、測定室２０は、内部に皮膚ガスが導入される、例えば、内径４０ｍｍ、深さ６０ｍｍ程度の円筒状に形成された空間を有する本体部２１を備えている。以下、位置関係は図２に表示されている方向を基準として説明するが、これに限定されるものではない。
【００２７】
本体部２１の上方には、皮膚ガスを採集するための開口部２２が設けられている。皮膚ガスを測定するときには、この開口部２２に手のひらなどの皮膚表面を密着させて閉塞し、本体部２１を密閉することが可能に構成されている。また、皮膚ガスを採集しないときに開口部２２を閉塞する蓋体２３が備えられている。
【００２８】
測定室２０の側方には、本体部２１内にレーザ光を導入するためのレーザ光導入窓２４が設けられており、レーザ光導入窓２４が設けられた側面と隣接した側面には、蛍光を検出するための蛍光検出窓２５が設けられている。なお、レーザ光導入窓２４と蛍光検出窓２５との位置関係は、安定した蛍光測定が可能であれば任意である。
【００２９】
レーザ光導入窓２４にはバンドパスフィルタ１３が、蛍光検出窓２５には後述するバンドパスフィルタ５１が、それぞれの窓を覆って取り付けられている。
【００３０】
測定室２０の側方には、本体部２１内に雰囲気ガスを導入するための雰囲気ガス導入口２６と、雰囲気ガスを排出するガス排出口２７と、が設けられている。雰囲気ガス導入口２６は、マスフローコントローラーを介して高圧ガスボンベなどのガス供給源から雰囲気ガスを供給するガス供給手段３０に接続されており、本体部２１は雰囲気ガスのガス流量を制御可能に構成されている。
【００３１】
本実施形態では、雰囲気ガス導入口２６は本体部２１の高さ方向で中央より上方に設けられ、ガス排出口２７は、雰囲気ガス導入口２６に対向して雰囲気ガス導入口２６よりも下方に設けられている。これにより、雰囲気ガスと皮膚ガスとの混合を促進し、皮膚ガスと均一に混合された測定ガスを形成することができる。
【００３２】
本体部２１の下方には、測定室２０内のガスの温度を調整するガス温度制御手段４０が設けられている。ガス温度制御手段４０は、ヒータ４１及び温度センサー４２を備えており、図示しない制御器により測定室２０内のガスの温度を所定の温度に制御する。ここで、ガス温度制御手段４０は、雰囲気ガスの温度を設定温度の±０．１℃程度に制御可能な構成とすることが好ましい。本実施形態では、温度センサー４２は本体部２１に埋め込まれているが、測定室２０内のガスの温度を直接測定する構成を採用することもできる。
【００３３】
蛍光測定手段５０は、測定成分に合わせた蛍光波長を選択するためのバンドパスフィルタ５１、光エネルギーを電気エネルギーに変換する光電子増倍管５２、光電子増倍管５２からの信号を直接または増幅器を通し計数するフォトンカウンタ５３及び計数されたカウント数に基づいて解析を行うパーソナルコンピュータなどの解析手段５４（図１）を備えている。本実施形態では、光電子増倍管５２及びフォトンカウンタ５３を一体的に備えたフォトンカウンティングヘッドを用いた。バンドパスフィルタ５１は波長３０８ｎｍの蛍光を選択的に透過するものを用いた。フォトンカウンタ５３は、十分に速い応答速度を有するもの、例えば、分解能が１００〜５００ＭＨｚ程度のものが好ましい。 
【００３４】
（皮膚ガス測定方法）
本発明の皮膚ガス測定方法について、ヒドロキシラジカルの測定方法を例に説明する。
【００３５】
皮膚ガス測定装置１を起動した後に、測定室２０の開口部２２を蓋体２３により閉塞して外気が本体部２１内に混入しないようにした状態で、ガス供給手段３０を操作する。測定室２０に所定の流量の雰囲気ガスを導入し、ガス温度制御手段４０により雰囲気ガスが設定温度になるように制御する。そして、雰囲気ガスにより本体部２１内の雰囲気が置換され、設定温度になるまで待機する。ここで、雰囲気ガスの流量は、皮膚ガスが本体部２１内に滞留し、雰囲気ガス中に均一に混合する及び結露しない流量に設定することが好ましい。
【００３６】
ＬＩＦ法による測定自体はどのような雰囲気でも可能であるが、例えば、大気には１ｐｐｔ程度のヒドロキシラジカルが存在し、日間変動も大きいので、測定時のバックグラウンドが大きく変動し、大きな誤差要因となる。雰囲気ガスの導入により、本体部２１内の夾雑物が排出されると同時に、本体部２１内の気体が均一な状態になるように撹拌される。これにより、測定時におけるバックグラウンドレベルが低下し、測定感度が向上する。
【００３７】
バックグラウンドレベルの低下および感度向上の目的のみなら、雰囲気ガスとして高純度の窒素やアルゴンなどの不活性ガスも用いることができるが、大気成分と異なる組成の気体に皮膚が晒されたときに皮膚ガスの放出状態が通常と異なる可能性があるため、より正確に生体内状況を把握するためには、純空気を使用することが好ましい。
【００３８】
ここで、純空気は、大気中に存在する微量成分が取り除かれた空気である。例えば、大陽日酸株式会社製圧縮空気Grade1などが相当する。
【００３９】
後述する実施例にも示すように、皮膚ガス測定において、測定雰囲気の温度は皮膚ガス放出量に影響を与え、測定対象成分のカウント数が測定室２０内のガスの温度で大きく変動するため、測定室２０内のガスの温度を厳密に制御することが必要である。測定室２０内のガスの温度を厳密に制御することにより、測定の再現性及び精度を向上させることができる。また、測定室２０内のガスの温度制御をしやすくし、発汗など皮膚ガスの放出を促すためには、体温より数℃高い温度に設定することが好ましい。更に、被測定者の皮膚へのストレスを低減するとともに、より正確に生体内状況を把握するためには、５０℃以下に設定することが好ましく、例えば４０℃に設定することが好ましい。また、雰囲気ガスの供給を停止すると、本体部２１内で雰囲気ガスがこもり、温度、湿度を正確に制御することができなくなるので、すべての測定が終了するまで、雰囲気ガスは流し続ける。
【００４０】
次に、レーザ照射手段１０により、本体部２１内に導入された純空気に波長２８０．５ｎｍのレーザ光を照射し、蛍光測定手段５０により波長３０８ｎｍの蛍光のカウント数を計測する。このカウント数をバックグラウンドの測定値とする。
【００４１】
続いて、蓋体２３を取り外し、図３に示すように開口部２２に手のひらなどの皮膚表面を密着させて閉塞し、本体部２１を密閉する。
【００４２】
続いて、レーザ照射手段１０により、本体部２１内で皮膚ガスと雰囲気ガスとが混合されて形成された測定ガスに波長２８０．５ｎｍのレーザ光を照射し、蛍光測定手段５０により波長３０８ｎｍの蛍光のカウント数を計測する。このカウント数を皮膚ガスの測定値とする。
【００４３】
カウント数の計測は、カウント数の変動が落ち着いた安定した状態で行う。このとき、皮膚ガスは十分に放出され、雰囲気ガス中に混合されて均一な状態になり、雰囲気ガス温度が安定しているとともに、測定室２０内の湿度も安定した状態となっている。
【００４４】
カウント数の計測は、例えば、開口部２２に皮膚表面を密着させて閉塞してから１０分間の計測を行い、最終の３分間のデータを採用する、などの条件で行うことができる。
【００４５】
ここで、励起光と蛍光との波長が異なるよう構成したため、励起光の乱反射などの影響を受けずに測定することができる。また、励起光の照射と蛍光の測定のタイミングを切り替えるためにシャッターによる切り替えが必要がなく、装置構成を簡単にすることができる。
【００４６】
また、連続光を用いているので、低エネルギーであり、皮膚に照射されても影響が少ない。なお、レーザ光導入窓２４は手のひらを開口部２２に押し付けて開口部２２から内部に張り出した状態でもレーザが照射されない位置に設けられている。
【００４７】
そして、皮膚ガスの測定値とバックグラウンドの測定値との差を算出し、この算出値を皮膚ガスから放出された測定対象の皮膚ガス成分の測定値とする。
【００４８】
測定終了後は、再び開口部２２を蓋体２３により閉塞し、測定室２０内を純空気で置換して次の測定に備える。
【００４９】
測定対象の皮膚ガス成分としては、活性酸素種以外にも重要な知見が得られる成分がある。例えば、アセトンは糖尿病、脂質代謝の異常の検出などに有効と言われている。アセトンは波長２８０．５ｎｍのレーザ光により励起可能で、波長４３５ｎｍの蛍光を発し、皮膚ガス測定装置１及び皮膚ガス測定方法により測定可能である。本発明の皮膚ガス測定装置１及び皮膚ガス測定方法は、その他、一酸化炭素、一酸化窒素、アンモニアなど生体内状況を把握するために有効な皮膚ガス成分の測定にも適用することができる。
【００５０】
（実施形態の効果）
本発明の皮膚ガス測定装置１及び皮膚ガス測定方法によれば、測定雰囲気及び測定温度が測定精度に大きな影響を及ぼす因子を見出し、雰囲気ガスへの置換を行うとともに、測定室２０内のガスの温度制御を行うことにより測定環境を厳密に制御してその影響を排除する構成を採用したので、皮膚ガスの測定を非侵襲で高精度で行うことができる。特に、酸化ストレスマーカーとして重要であるが測定が困難であったヒドロキシラジカルに代表される活性酸素の測定に好適に用いることができる。
【実施例】
【００５１】
本発明の皮膚ガス測定装置及び皮膚ガス測定方法を用いて、手のひらから放出されるヒドロキシルラジカルの測定を行った。ヒドロキシルラジカルは、波長２８０．５ｎｍの光で励起され、波長３０８ｎｍの蛍光を発する。
【００５２】
レーザ光は、波長５６１ｎｍ、出力７５ｍＷの連続発振レーザを用いた。発振されたレーザ光をベータホウ酸バリウム結晶を透過させて、波長２８０．５ｎｍの２倍波を生成させた。更にペランブロッカプリズムを用いて成分波長に分解し、波長２８０．５ｎｍのレーザ光のみを超広帯域誘多膜平面ミラーで反射させて測定室に導入した。測定室のレーザ光導入窓には、レーザ光のみを選択的に導入するとともに測定室を密閉状態にするために２８０ｎｍのバンドパスフィルタを設置した。測定部内には、純空気（圧縮空気Grade1）をマスフローコントローラーにて１００ｍＬ／ｍｉｎで導入した。また、測定室内はガス温度制御手段により４０℃に制御した。測定室内で発せられる蛍光を検出するために、測定室に密着するように光電子増倍管(感度波長３００ｎｍ〜６５０ｎｍ)を設置した。光電子増倍管の受光面は、レーザ光の光軸と同じ高さになるように、光軸に対して受光面が平行になるように設置した。また、測定部と光電子増倍管の間には、レーザ光を検出しないように３００ｎｍの短波長カットフィルタを設置した。
【００５３】
光電子増倍管からの信号はフォトンカウンタにて処理した。フォトンカウントは、１秒間隔で６００回計測した。純空気及び測定ガスを測定する際には、１０分間測定を行い、終了前３分間（７−１０分）のフォトンカウント値の１秒あたりの平均値を測定値とした。
【００５４】
図３に被験者の手のひらから放出されるヒドロキシルラジカルを測定ガスの温度を３７℃から４０℃まで１℃刻みに変化させて測定した結果を示す。フォトンカウントは、皮膚ガス測定値からバックグラウンド測定値を減算した値を示す。温度の上昇とともに、フォトンカウント数は増大し、３７℃と４０℃とでは、約１．７倍の差が生じた。これにより、測定雰囲気の温度が測定値に大きな影響を及ぼすことが確認された。
【００５５】
図４にバックグラウンド測定値及び皮膚ガス測定値の再現性試験結果を示す。ここで、各点のフォトンカウントは、１分間の積算値を示す。雰囲気ガスの制御温度は４０℃とし、バックグラウンド測定５分→皮膚ガス測定１０分→バックグラウンド測定５分→皮膚ガス測定１０分→バックグラウンド測定５分の順に繰り返し測定を行った。バックグラウンド測定値、皮膚ガス測定値ともに良好な再現性を示した。
【００５６】
本発明の皮膚ガス測定装置による実施例を、測定環境を制御していない従来の測定方法と比較した。結果を表１に示す。なお、従来の測定方法では、レーザ光源としてパルスレーザを用いており、励起波長及び測定波長ともに３０８ｎｍに設定しているため、励起および蛍光の測定を切り替えるシャッターを有している。短時間のパルスレーザ照射によってヒドロキシルラジカルから蛍光が発せられるが、励起波長と測定波長とが一致しているため、その蛍光のうちシャッター切り替え後に検出されたものをＬＩＦシグナルとしており、測定値のオーダーが異なっている。
【００５７】
【表１】
2019109105.tif 000003
【００５８】
ブランクの繰り返し測定におけるＬＩＦ測定値の相対標準偏差、ヒドロキシルラジカルの繰り返し測定におけるＬＩＦ測定値の相対標準偏差及びＬＩＦ信号とノイズ信号（ノイズ幅）との比率（Ｓ／Ｎ比）は、比較例に比べいずれも大幅に改善されており、測定精度及び感度が向上していることが確認できた。
【符号の説明】
【００５９】
１…皮膚ガス測定装置
１０…レーザ照射手段
１１…レーザ発振器
１２…倍波素子
１３…バンドパスフィルタ
２０…測定室
２１…本体部
２２…開口部
２３…蓋体
２４…レーザ光導入窓
２５…蛍光検出窓
２６…雰囲気ガス導入口
２７…ガス排出口
３０…ガス供給手段
４０…ガス温度制御手段
４１…ヒータ
４２…温度センサー
５０…蛍光測定手段
５１…バンドパスフィルタ
５２…光電子増倍管
５３…フォトンカウンタ
【図１】
2019109105.tif 000004
【図２】
2019109105.tif 000005
【図３】
2019109105.tif 000006
【図４】
2019109105.tif 000007
【図５】
2019109105.tif 000008